(57)【特許請求の範囲】
【請求項１】
複数のページからなる校正データに基づいて校正画像を表示する校正画像表示装置であって、
作業者による操作に応じて、少なくとも２つのページに共通するサイズを有するページ領域の中から関心領域を１つ指定する関心領域指定部と、
前記少なくとも２つのページからそれぞれ、前記関心領域指定部により指定された前記関心領域に対応する関心画像を１つずつ抽出する関心画像抽出部と、
前記関心画像抽出部により抽出されたページ毎の各前記関心画像を所定の方向に沿って配置した一覧画像を作成する一覧画像作成部と、
前記一覧画像作成部により作成された前記一覧画像を表示する表示部と
を有し、
前記関心領域指定部は、前記校正データが見開きのレイアウトで定義される場合に、前記見開きの中心軸に対して対称の位置関係になるように前記関心領域を指定することを特徴とする校正画像表示装置。
【請求項２】
請求項１記載の校正画像表示装置において、
前記一覧画像作成部は、奇数ページ毎又は偶数ページ毎に前記一覧画像を作成することを特徴とする校正画像表示装置。
【請求項３】
請求項１又は２に記載の校正画像表示装置において、
前記関心画像抽出部により前記関心画像が抽出される２つ以上のページを指定するページ指定部をさらに有し、
前記一覧画像作成部は、前記ページ指定部により指定された前記２つ以上のページにおける前記一覧画像を作成する
ことを特徴とする校正画像表示装置。
【請求項４】
請求項１〜３のいずれか１項に記載の校正画像表示装置において、
各前記関心画像間における画像の一致性を判別する検版処理部をさらに有することを特徴とする校正画像表示装置。
【請求項５】
請求項４記載の校正画像表示装置において、
前記一覧画像作成部は、前記検版処理部により一致しないと判別された画像領域を強調した前記一覧画像を作成することを特徴とする校正画像表示装置。
【請求項６】
請求項４記載の校正画像表示装置において、
前記一覧画像作成部は、前記検版処理部により一致すると判別された前記関心画像の種類別に分類した前記一覧画像を作成することを特徴とする校正画像表示装置。
【請求項７】
複数のページからなる校正データに基づいて校正画像を表示する校正画像表示方法であって、
作業者による操作に応じて、少なくとも２つのページに共通するサイズを有するページ領域の中から関心領域を１つ指定する指定ステップと、
指定された前記関心領域に対応する関心画像を１つずつ、前記少なくとも２つのページからそれぞれ抽出する抽出ステップと、
抽出されたページ毎の各前記関心画像を所定の方向に沿って配置した一覧画像を作成する作成ステップと、
作成された前記一覧画像を表示装置に表示させる表示ステップと
をコンピュータに実行させ、
前記指定ステップでは、前記校正データが見開きのレイアウトで定義される場合に、前記見開きの中心軸に対して対称の位置関係になるように前記関心領域を指定することを特徴とする校正画像表示方法。
【請求項８】
複数のページからなる校正データに基づいて校正画像を表示するためのプログラムであって、
コンピュータを、
作業者による操作に応じて、少なくとも２つのページに共通するサイズを有するページ領域の中から関心領域を１つ指定する関心領域指定部、
前記少なくとも２つのページからそれぞれ、前記関心領域指定部により指定された前記関心領域に対応する関心画像を１つずつ抽出する関心画像抽出部、
前記関心画像抽出部により抽出されたページ毎の各前記関心画像を所定の方向に沿って配置した一覧画像を作成する一覧画像作成部、
前記一覧画像作成部により作成された前記一覧画像を表示装置に表示させる表示制御部
として機能させ、
前記関心領域指定部は、前記校正データが見開きのレイアウトで定義される場合に、前記見開きの中心軸に対して対称の位置関係になるように前記関心領域を指定することを特徴とするプログラム。
【発明の詳細な説明】
【技術分野】
【０００１】
この発明は、複数のページからなる校正データを電子的に校正する校正装置、校正方法及びプログラムに関する。
【背景技術】
【０００２】
近時、印刷製版の分野において、中間成果物を生成せずに電子データにより刷版を直接形成するＣＴＰ（Computer to Plate）が普及している。この電子データを用いて校正作業を効率的に行うための校正支援ツールが種々提案されている。例えば、初校時と再校時との校正データを比較することにより、作業者の作業ミスに伴う修整誤り、修整忘れ、不要な修整等の有無を自動的に検査することができる。
【０００３】
特許文献１には、第１画像と第２画像とを表示画面上であおり表示（画像を交互に表示）する装置が開示されている。これにより、校正刷りを用いた従前の「あおり検版」に代替して、ディスプレイ上で検版作業を実施できる旨が記載されている。
【０００４】
特許文献２には、初校と再校との一致箇所を視覚的に低濃度の画像で表現するとともに、相違箇所を初校又は再校のままの画像で表現し、その合成画像を出力させる装置が開示されている。
【先行技術文献】
【特許文献】
【０００５】
【特許文献１】特開２０１０−３３３５０号公報
【特許文献２】特開２０００−２９１９６号公報
【発明の概要】
【発明が解決しようとする課題】
【０００６】
ところで、校正作業には、書名、見出し、章のタイトル等が、各ページの所定位置（いわゆる柱）に正しく配置されているか否か、あるいは、その内容が一致するか否かを確認する工程が含まれる。
【０００７】
しかしながら、特許文献１及び２に記載された装置では、２つの画像をページ単位で比較できるにすぎない。したがって、ページ数が極めて多い校正データでは、ページ間での比較に要する工数が膨大となり、作業効率が著しく低下するという課題があった。
【０００８】
本発明はこのような課題を考慮してなされたものであり、２つの画像をページ単位で比較する場合と比べて、作業効率が大幅に向上可能な校正装置、校正方法及びプログラムを提供することを目的とする。
【課題を解決するための手段】
【０００９】
本発明に係る校正装置は、複数のページからなる校正データを電子的に校正する装置であって、少なくとも２つのページに共通するサイズを有するページ領域の中から関心領域を指定する関心領域指定部と、前記少なくとも２つのページからそれぞれ、前記関心領域指定部により指定された前記関心領域に対応する関心画像を抽出する関心画像抽出部と、前記関心画像抽出部により抽出された各前記関心画像を所定の方向に沿って配置した一覧画像を作成する一覧画像作成部とを有することを特徴とする。
【００１０】
このように、少なくとも２つのページからそれぞれ、指定された関心領域に対応する関心画像を抽出する関心画像抽出部と、前記関心画像抽出部により抽出された各前記関心画像を所定の方向に沿って配置した一覧画像を作成する一覧画像作成部とを設けたので、各関心画像が一致するか否かを串刺し（一気通貫）で確認可能であり、２つの画像をページ単位で比較する場合と比べて、作業効率が大幅に向上する。
【００１１】
また、前記関心画像抽出部により前記関心画像が抽出されるページを複数指定するページ指定部をさらに有することが好ましい。
【００１２】
さらに、各前記関心画像間における画像の一致性を判別する検版処理部をさらに有することが好ましい。
【００１３】
さらに、前記一覧画像作成部は、前記検版処理部により一致しないと判別された画像領域を強調した前記一覧画像を作成することが好ましい。
【００１４】
さらに、前記一覧画像作成部は、前記検版処理部により一致すると判別された前記関心画像の種類別に分類した前記一覧画像を作成することが好ましい。
【００１５】
さらに、前記一覧画像作成部により作成された前記一覧画像を表示する表示部をさらに有することが好ましい。
【００１６】
本発明に係る校正方法は、複数のページからなる校正データを電子的に校正する方法であって、少なくとも２つのページに共通するサイズを有するページ領域の中から関心領域を指定する指定ステップと、指定された前記関心領域に対応する関心画像を前記少なくとも２つのページからそれぞれ抽出する抽出ステップと、抽出された各前記関心画像を所定の方向に沿って配置した一覧画像を作成する作成ステップとを備えることを特徴とする。
【００１７】
本発明に係るプログラムは、複数のページからなる校正データを電子的に校正するためのプログラムであって、コンピュータを、少なくとも２つのページに共通するサイズを有するページ領域の中から関心領域を指定する関心領域指定部、前記少なくとも２つのページからそれぞれ、前記関心領域指定部により指定された前記関心領域に対応する関心画像を抽出する関心画像抽出部、前記関心画像抽出部により抽出された各前記関心画像を所定の方向に沿って配置した一覧画像を作成する一覧画像作成部として機能させることを特徴とする。
【発明の効果】
【００１８】
本発明に係る校正装置、校正方法及びプログラムによれば、少なくとも２つのページからそれぞれ、指定された関心領域に対応する関心画像を抽出し、各前記関心画像を所定の方向に沿って配置した一覧画像を作成するようにしたので、各関心画像が一致するか否かを串刺し（一気通貫）で確認可能であり、２つの画像をページ単位で比較する場合と比べて、作業効率が大幅に向上する。
【図面の簡単な説明】
【００１９】
【図１】本実施の形態に係る校正装置が組み込まれた印刷物生産システムの概略説明図である。
【図２】図１に示す画像編集装置の電気的なブロック図である。
【図３】図１に示す印刷物生産システムを用いた印刷ワークフローの概略を説明するフローチャートである。
【図４】複数のページデータからなる校正データの概略説明図である。
【図５】図３のステップＳ４での串刺し表示の際の、画像編集装置の動作説明に供されるフローチャートである。
【図６】串刺し表示の設定例を表す第１画像図である。
【図７】串刺し表示の設定例を表す第２画像図である。
【図８】本実施の形態に係る串刺し表示の一例を表す画像図である。
【図９】図８に示すウィンドウの変化状態を表す画像図である。
【図１０】本実施の形態に係る串刺し表示の別の一例を表す画像図である。
【発明を実施するための形態】
【００２０】
以下、本発明に係る校正方法についてこれを実施する校正装置及び印刷物生産システムとの関係において好適な実施形態を挙げ、添付の図面を参照して説明する。
【００２１】
図１は、本実施の形態に係る校正装置としての画像編集装置２０が組み込まれた印刷物生産システム１０の概略説明図である。
【００２２】
印刷物生産システム１０は、製版サイト１２と、印刷サイト１４と、データベースサーバ１６と、ネットワーク１８とを基本的に備える。製版サイト１２内には、画像編集装置２０と、校正機２２とが設けられている。
【００２３】
画像編集装置２０は、ページ記述言語（以下、ＰＤＬという。）による製版データ、例えば、４色（ＣＭＹＫ）や３色（ＲＧＢ）のカラーチャンネルからなるＰＤＬ形式のデータを生成する。
【００２４】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（"Portable Document Format"の略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（XML Paper Specification）等が知られている。
【００２５】
画像編集装置２０は、ＰＤＬ形式のデータに対して、所望の画像処理、例えばプレフライト処理、色変換処理、又は配置処理等を行った後、ラスタ形式のデータ（例えば、ビットマップやＴＩＦＦ）に変換し、印刷データを校正機２２に送信する各機能を有している。
【００２６】
画像編集装置２０は、本体部２６と、表示部２８と、入力部３０（キーボード３２及びマウス３４）とを備える。ポインティングデバイスとしてのマウス３４に代替し、トラックパッドやトラックボールを用いてもよい。
【００２７】
校正機２２は、校正するための校正刷り２４を得る出力装置である。校正機２２として、オフセット印刷機と同等の印刷性能を備えるＤＤＣＰ（Direct Digital Color Proofer）、インクジェットカラープルーファ、低解像度のカラーレーザプリンタ（電子写真方式）やインクジェットプリンタ等が用いられる。
【００２８】
データベースサーバ１６は、印刷物の生産に必要な各種データファイルを保存、更新、削除等する。各種データファイルには、図示しない制作会社からの素材データ（コンテンツ）、校正データ、製版データ、ジョブチケット｛例えば、ＪＤＦ（Job Definition Format）ファイル｝、ＩＣＣ（International Color Consortium）プロファイル、色見本データ等が含まれる。
【００２９】
ネットワーク１８は、イーサネット（登録商標）等の通信規格に基づいて構築されている。そして、ネットワーク１８を介して、製版サイト１２と、印刷サイト１４と、データベースサーバ１６とが相互に接続されている。例えば、製版サイト１２と印刷サイト１４とが地理的に離れている場合、ネットワーク１８を介して、製版データは、製版サイト１２と印刷サイト１４との間で授受される。
【００３０】
印刷サイト１４は、取得した製版データに対して所望の画像処理を行う画像処理装置、刷版を作成するためのプレートセッタ、所望の画像を各種メディアに印刷するオフセット印刷機（又は、デジタル印刷機）、印刷物に製本処理や後加工処理を施す各種装置を備えている。そして、印刷サイト１４での印刷工程等を経て、加工印刷物ＦＰ（本図例では上製本）が生産される。
【００３１】
図２は、図１に示す画像編集装置２０の電気的なブロック図である。
【００３２】
本体部２６は、制御部３６と、通信Ｉ／Ｆ３８と、表示制御部４０と、印刷Ｉ／Ｆ４２と、メモリ４４とを備える。
【００３３】
通信Ｉ／Ｆ３８は、外部装置からの電気信号を送受信するインターフェースである。例えば、図示しない制作会社から提供された素材データを取得可能である。また、データベースサーバ１６で管理・保存された製版データ、ＩＣＣプロファイル等の各種情報を取得可能である。
【００３４】
表示制御部４０は、制御部３６の制御に従って、表示部２８を駆動制御する制御回路である。表示制御部４０が、図示しないＩ／Ｆを介して、表示制御信号を表示部２８に出力することで、表示部２８が駆動する。これにより、表示部２８は、各種画像（図６及び図７のウィンドウ１００を含む。）を表示することができる。
【００３５】
印刷Ｉ／Ｆ４２は、印刷データとしての電気信号を送信するインターフェースである。これにより、校正機２２は、所望の校正刷り２４を印刷することができる。
【００３６】
メモリ４４は、制御部３６が各部を制御するのに必要なプログラム及びデータ等を記憶している。メモリ４４は、不揮発性のメモリ、ハードディスク等の記録媒体であってよい。
【００３７】
制御部３６は、ＣＰＵ等のプロセッサによって構成されている。制御部３６は、メモリ４４に格納されたプログラムを読み出し実行することで、画像編集部４６、ＲＩＰ処理部４８、検版処理部５０、及び表示データ作成部５２の機能を実現可能である。
【００３８】
画像編集部４６は、文字、図形、絵柄や写真等から構成される素材データから、ページ単位の編集データを作成する。また、画像編集部４６は、ジョブチケットのタグ情報を参照しながら、指定された綴じ方法や紙折り方法に応じた面付け処理を行う。
【００３９】
ＲＩＰ処理部４８は、校正データ（校了データを含む。）に対し、ラスタライズ処理を施す。このラスタライズ処理には、ＰＤＬ形式からラスタ形式に変換するデータ形式変換処理と、ＩＣＣプロファイルを用いたカラーマッチング処理とが含まれる。
【００４０】
表示データ作成部５２は、所定のページ領域（後述する共通ページ領域Ｒｐ）の中から関心領域１１２を指定する関心領域指定部５４と、串刺し表示に供されるページを複数指定するページ指定部５６と、関心領域指定部５４により指定された関心領域１１２に対応するページ毎の関心画像１４６を抽出する関心画像抽出部５８と、関心画像抽出部５８により抽出された各関心画像１４６を所定の方向に沿って配列した一覧画像１４２Ｒ等を作成する一覧画像作成部６０と、検版処理部５０により一致しないと判別された箇所を強調するマーク１５４等を作成する強調マーク作成部６２と、指定された表示倍率に従って各関心画像１４６を拡縮する画像拡縮部６４とを備える。
【００４１】
なお、本明細書における「串刺し表示」とは、共通するページ領域を備える複数のページデータＤｐからなる校正データにおいて、共通の関心画像１４６を抽出し、各関心画像１４６を同時に一覧表示する手法である。例えば、書名、見出し、章のタイトル等が、各ページの所定位置（いわゆる柱）に正しく配置されているか否か、あるいは、その内容が一致するか否かを確認する場合、特に有効である。
【００４２】
入力部３０は、串刺し表示に関する各種情報を本体部２６側に入力する串刺し表示情報入力部６６として機能する。
【００４３】
本実施の形態に係る画像編集装置２０は、以上のように構成される。続いて、印刷物生産システム１０を用いた印刷ワークフローの概略について、図３を参照しながら説明する。製版サイト１２（図１参照）内での作業工程は、ステップＳ１〜Ｓ８から構成されている。本実施の形態では、特に校正工程を中心に説明する。
【００４４】
先ず、制作会社等に属するデザイナは、加工印刷物ＦＰの素材データ（コンテンツ）を入稿するとともに、製版サイト１２に属する作業者（以下、単に作業者という。）は、前記素材データを編集してＤＴＰ処理を行う（ステップＳ１）。例えば、画像編集装置２０は、データベースサーバ１６に予め保存された素材データを、ネットワーク１８、通信Ｉ／Ｆ３８を介して取得した後、メモリ４４に一旦記録する。
【００４５】
そして、作業者による編集作業に応じて、画像編集部４６は、１つ又は複数の素材データからページ単位の編集データを作成する。そして、画像編集部４６は、ジョブチケットのタグ情報を参照しながら、指定された綴じ方法や紙折り方法に応じた面付け処理を行う。そして、入稿・ＤＴＰ工程が完了した後、次の工程に移行するため、この編集データを、校正データとしてメモリ４４に一時的に記録する。
【００４６】
その結果、図４に示すような、複数のページ（ページデータＤｐ）で構成される校正データが得られる。各ページデータＤｐのページ領域は、いずれも同一のサイズを有する。以下、複数のページに共通するサイズを有するページ領域のことを、共通ページ領域Ｒｐという場合がある。
【００４７】
次いで、作業者は、校正データが表すページ単位の校正画像を表示部２８に表示させながら、校正を行う（ステップＳ２〜Ｓ４）。作業者は、例えば、章のタイトルが正しいか否かを確認する場合、串刺し表示モードを呼び出してもよい（ステップＳ３、Ｓ４）。なお、串刺し表示（ステップＳ４）の際の、画像編集装置２０の動作については後述する。
【００４８】
次いで、作業者は、校正データについて修整箇所があるか否かを確認する（ステップＳ５）。修整箇所があった場合、現時点での校正データを修整した上で（ステップＳ６）、作業者は、校正作業を繰り返す（ステップＳ２〜６）。
【００４９】
あるいは、作業者は、校正機２２を用いて、校正刷り２４を必要に応じて印刷してもよい（ステップＳ７）。この場合、作業者は、校正刷り２４を目視した上で、修整箇所の有無について厳密に確認できる。
【００５０】
印刷指示に応じて、ＲＩＰ処理部４８（図２参照）は、メモリ４４から取得した校正データの形式を、ＰＤＬ形式からラスタ形式に変換する。そして、校正機２２は、印刷Ｉ／Ｆ４２を介して、ラスタ形式の校正データを取得し、図示しないメディア上に画像を印刷することで、校正刷り２４を得る。このとき、印刷サイト１４での加工印刷物ＦＰの色を再現するように、公知のカラーマッチング技術を用いて校正刷り２４の色を調整してもよい。
【００５１】
次いで、Ｓ２〜Ｓ７の校正工程を経て校了データを得た後、この校了データをデータベースサーバ１６にアップロードし、データファイルを保存する（ステップＳ８）。最後に、印刷サイト１４に所属する印刷オペレータは、データベースサーバ１６からダウンロードした校了データに基づいて、加工印刷物ＦＰの生産を行う（ステップＳ９）。
【００５２】
以上のように、印刷物生産システム１０を用いることで、加工印刷物ＦＰの生産が可能である。続いて、ステップＳ４（図３参照）での串刺し表示の際の、画像編集装置２０の動作について、図５〜図１０を参照しながら詳細に説明する。
【００５３】
先ず、関心領域指定部５４は、共通ページ領域Ｒｐ内から関心領域１１２を指定する（ステップＳ４１）。
【００５４】
図６は、串刺し表示の設定例を表す第１画像図である。ウィンドウ１００上には、見開き左側の共通ページ領域Ｒｐを表すプレビュー画像１０２と、見開き右側の共通ページ領域Ｒｐを表すプレビュー画像１０４と、［次へ］と表示されたボタン１０６とがそれぞれ配置されている。本図例では、プレビュー画像１０２（又は、プレビュー画像１０４）として、１ページ目（又は、２ページ目）のページデータＤｐが可視化して表示されている。
【００５５】
例えば、ウィンドウ１００左側の共通ページ領域Ｒｐ内の所定の位置に、矢印状のカーソル１０８が配置された状態において、マウス３４のドラッグ操作により、破線状の矩形枠１１０Ｌは、プレビュー画像１０２上に重ねて表示される。ここで、矩形枠１１０Ｌに囲まれた領域が、串刺し表示の対象となる関心領域１１２に相当する。
【００５６】
プレビュー画像１０４に関し、矩形枠１１０Ｌの表示に追随して、その対応箇所に矩形枠１１０Ｒが併せて表示される。すなわち、矩形枠１１０Ｒに囲まれた領域が、串刺し表示の対象となる関心領域１１２に相当する。本図では見開きのレイアウトを模擬しているので、矩形枠１１０Ｌ及び矩形枠１１０Ｒは、軸Ａに対して左右対称の位置関係下にある。
【００５７】
そして、［次へ］ボタン１０６のクリック操作に応じて、表示制御部４０は、ウィンドウ１００の画像を、図７に示す画像に変更する。
【００５８】
次いで、ページ指定部５６は、串刺し表示の対象ページを指定する（ステップＳ４２）。
【００５９】
図７は、串刺し表示の設定例を表す第２画像図である。ウィンドウ１００上には、串刺し表示のモードを指定するための第１入力部１２２と、表示対象のページ番号を指定するための第２入力部１２４と、第２入力部１２４により指定されたページ番号の中から偶数・奇数に応じて制限するための第３入力部１２６と、［設定］と表示されたボタン１２８とがそれぞれ配置されている。
【００６０】
第１入力部１２２は、ラジオボタン１３０ａ、１３０ｂのクリック操作に応じて、「一覧モード」及び「分類モード」のいずれか一方のモード属性を入力する。本図例では、「一覧モード」が入力されている。
【００６１】
第２入力部１２４は、所定のクリック操作に応じて、対象ページ（全ページ、又はページ番号の範囲）を入力する。ページ番号の範囲を指定する場合は、本図例のように、「１〜３０ページ目、且つ、８０〜１００ページ目」と指定する。
【００６２】
第３入力部１２６は、所定のクリック操作に応じて、対象ページ（奇数ページ及び／又は偶数ページ）を入力する。本図例では、奇数ページ及び偶数ページが指定されている。このように、串刺し表示の対象ページを指定自在に構成することで、作業者は、円滑に校正作業を行うことができる。
【００６３】
そして、［設定］ボタン１２８のクリック操作に応じて、本体部２６は、串刺し表示情報入力部６６から入力された串刺し表示情報を取得し、この情報を表示データ作成部５２に供給する。ここで入力された串刺し表示情報とは、具体的に、関心領域１１２の位置及びサイズ（図６のウィンドウ１００）、モード属性及びページ番号（図７のウィンドウ１００）である。
【００６４】
次いで、関心画像抽出部５８は、トリム処理を用いて、ステップＳ４２で指定された対象ページの共通ページ領域Ｒｐ（すなわち、ページデータＤｐが表す画像領域）の中から、関心画像１４６をそれぞれ抽出する（ステップＳ４３）。
【００６５】
次いで、一覧画像作成部６０は、ステップＳ４３で抽出された各関心画像１４６を配置することで、これらを同時に視認可能な一覧画像１４２Ｌ等を作成する（ステップＳ４４）。なお、関心画像１４６の視認性を向上するため、関心画像１４６のサイズ、表示倍率、間隔、配列方法を適宜変更してもよい。
【００６６】
次いで、表示制御部４０は、ステップＳ４４で作成された一覧画像１４２Ｌ等を表示部２８に表示させる（ステップＳ４５）。
【００６７】
図８は、本実施の形態に係る串刺し表示の一例を表す画像図である。
【００６８】
ウィンドウ１４０上には、その左側には奇数ページの一覧画像１４２Ｌが、その右側には偶数ページの一覧画像１４２Ｒが、それぞれ配置されている。一覧画像１４２Ｌ（又は一覧画像１４２Ｒ）は、３桁の算用数字で表記されたページ番号１４４と、該ページ番号１４４に対応する関心画像１４６とから構成されている。すなわち、各関心画像１４６は、ウィンドウ１４０の上下方向に沿ってページ毎に配列されている。
【００６９】
作業者は、一覧画像１４２Ｌ、１４２Ｒを上側（あるいは下側）から順に、関心画像１４６を目視し、その上下の関心画像１４６と比較・対比することで、一致するか否かを串刺し（一気通貫）で確認する。これにより、２つの画像をページ単位で比較する場合と比べて、作業効率が大幅に向上する。
【００７０】
このようにして、作業者は、串刺し表示をも併用して、書名、見出し、章のタイトル等の特定の項目に関する校正を行う（ステップＳ４６）。串刺し表示を行う箇所は複数存在する場合、関心領域１１２（図６参照）を適宜変更した上で、ステップＳ４１〜Ｓ４６の動作を繰り返す。また、この串刺し表示の利便性を更に向上するため、以下に例示する表示機能を種々設けてもよい。
【００７１】
図８に示すウィンドウ１４０の右上隅部には、表示倍率を変更するためのアイコン１４８がさらに配置されている。アイコン１４８のクリック操作に応じて、一覧画像１４２Ｌ、１４２Ｒの表示倍率を増加又は減少する。これにより、必要に応じて関心画像１４６の表示サイズを拡大又は縮小できるので、作業者にとって便宜である。
【００７２】
また、ウィンドウ１４０の左上隅部には、各関心画像１４６間での検版を実行するためのチェックボックス１５０がさらに配置されている。この検版は、実行対象とする電子データ同士を比較演算する電子的な検版を意味する。これにより、作業者は、関心画像１４６の一致性について容易に把握できる。
【００７３】
串刺し表示情報入力部６６は、チェックボックス１５０のオン・オフ状態を監視し、各関心画像１４６間での検版指示があったか否かを判別する（ステップＳ４７）。オン状態と判別された場合、検版処理部５０は、各関心画像１４６間での検版処理を実行する（ステップＳ４８）。具体的には、検版処理部５０は、データの一致性を画素毎に判別し、データが一致しない関心画像１４６のページ番号及び不一致領域を算出する。この一致性の判別には、画像認識処理の公知の手法を種々用いることができる。図４及び図８例では、１４ページ目のページデータＤｐ（２箇所）が一致しないと判別される。
【００７４】
次いで、表示制御部４０は、ステップＳ４８で一致しないと判別された箇所を強調するマーク１５４等を、一覧画像１４２Ｌ、１４２Ｒに重ねて表示させる（ステップＳ４９）。強調マーク作成部６２は、検版処理部５０から取得したページ番号及び不一致領域に基づいてマーク１５４等を表す画像データを作成し、一覧画像作成部６０に供給する。そして、一覧画像作成部６０は、一覧画像１４２Ｒ上にマーク１５４を重畳・合成し、表示制御部４０に供給する。
【００７５】
そうすると、図９に示すように、一覧画像１４２Ｒのうちの関心画像１５２には、データが一致しない２箇所にマーク１５４、１５６が重ねて表示される。作業者は、マーク１５４、１５６の存在を認識することで、１４ページ目のヘッダ領域内に２箇所の誤記があることを発見できる。
【００７６】
さらに、ラジオボタン１３０ｂ（図７参照）をクリック操作し、「分類モード」を選択した場合、図９のウィンドウ１４０に代替して、図１０のウィンドウ１６０が表示される。
【００７７】
図１０に示すように、ウィンドウ１６０上には、グループ毎に分類された一覧画像１６２と、［ページ一覧］と表示された５つのボタン１６４ａ〜１６４ｅがそれぞれ配置されている。一覧画像１６２は、１文字のアルファベットで表記されたグループ番号１６６と、該グループ番号１６６に対応する関心画像１４６とから構成されている。
【００７８】
例えば、グループＡの関心画像１６８に対応する［ページ一覧］ボタン１６４ａをクリックすると、関心画像１６８を備えるページ番号がすべて表示されるように構成してもよい。これにより、同一の関心領域１１２に複数の情報が存在する場合、データの一致性をグループ毎に確認できる。
【００７９】
このようにして、作業者は、必要に応じて串刺し表示モード（更には、電子的な検版モード）を呼び出しながら、校正作業を行う（ステップＳ４）。上記したように、少なくとも２つのページからそれぞれ、指定された関心領域１１２に対応する関心画像１４６を抽出し、各関心画像１４６を所定の方向に沿って配置した一覧画像１４２Ｌ（Ｒ）、１６２を作成するようにしたので、各関心画像１４６が一致するか否かを串刺し（一気通貫）で確認可能であり、２つの画像をページ単位で比較する場合と比べて、作業効率が大幅に向上する。
【００８０】
なお、この発明は、上述した実施形態に限定されるものではなく、この発明の主旨を逸脱しない範囲で自由に変更できることは勿論である。
【００８１】
例えば、加工印刷物ＦＰの各ページデータＤｐに関し、ページ領域がすべて同一である必要はない。すなわち、少なくとも２つのページに共通するサイズの共通ページ領域Ｒｐにおいて、本発明を適用できることはいうまでもない。
【符号の説明】
【００８２】
１０…印刷物生産システム                  １２…製版サイト
１４…印刷サイト                          １６…データベースサーバ
２０…画像編集装置                        ２２…校正機
２８…表示部                              ３０…入力部
３６…制御部                              ４０…表示制御部
４４…メモリ                              ５０…検版処理部
５２…表示データ作成部                    ５４…関心領域指定部
５６…ページ指定部                        ５８…関心画像抽出部
６０…一覧画像作成部                      ６２…強調マーク作成部
６６…串刺し表示情報入力部                １００、１４０、１６０…ウィンドウ
１０２、１０４…プレビュー画像            １１２…関心領域
１４２Ｒ、１４２Ｌ、１６２…一覧画像      １４６、１５２、１６８…関心画像
１５４、１５６…マーク
【図１】
0005406237.tif 000002
【図２】
0005406237.tif 000003
【図３】
0005406237.tif 000004
【図４】
0005406237.tif 000005
【図５】
0005406237.tif 000006
【図６】
0005406237.tif 000007
【図７】
0005406237.tif 000008
【図８】
0005406237.tif 000009
【図９】
0005406237.tif 000010
【図１０】
0005406237.tif 000011